(57)【要約】      （修正有）【課題】フラット導線のラッチロック及び解放を可能とする自動ロック構造付きコネクタを提供する。【解決手段】自動ロック構造付きコネクタ１０は、台座体１２と、端子１４と、蓋体１６と、ロック固定組立部材１８とを備える。蓋体１６は、台座体１２の凹溝と結合される軸突起部を提供することで、蓋体１６と台座体１２とによって挟まれた角度θを生じさせる。角度θが０度に近づくとき、台座体１２の第１係止部材と蓋体１６の第２係止部材とを相互に係合させ、蓋体１６を台座体１２に固定して収容空間ＳＰを形成する。フラット導線が収容空間ＳＰに進入した後、フラット導線の先頭端はロック固定組立部材に作用してフラット導線を収容空間ＳＰにロックする。また、蓋体１６と台座体１２とにより挟まれる角度θが所定角度より大きいとき、第１係止部材と第２係止部材との係止を解除することで、フラット導線を収容空間ＳＰから退避させる。【選択図】図１
0003230227.tif 000002
【実用新案登録請求の範囲】
【請求項１】
フラット導線を接続するための自動ロック構造付きコネクタであって、
前記フラット導線は、導線を有する先頭端を提供し、かつ前記先頭端の両側に切り欠きがそれぞれ形成され、
前記自動ロック構造付きコネクタは、台座体と、端子と、蓋体と、ロック固定組立部材とを備え、
前記台座体は、第１側壁と、第２側壁とを有し、前記第１側壁と前記第２側壁との間には、前記フラット導線を設置するための収容空間が形成され、前記第１側壁と前記第２側壁とには、凹溝と、第１係止部材とがそれぞれ形成され、前記凹溝は、前記第１側壁の前縁と、前記第２側壁の前縁とに設置され、前記第１係止部材は、前記第１側壁の後縁と、前記第２側壁の後縁とに設置され、前記前縁は、前記台座体の差込口に位置しており、
前記収容空間に設置される前記端子は、前記導線を電気的に接続するために供され、
前記蓋体は、軸突起部と、第２係止部材とを有し、前記軸突起部は、前記凹溝に対応して設置され、前記第２係止部材は、前記第１係止部材に対応して設置され、
前記蓋体と結合される前記ロック固定組立部材は、弾性アームと、ロック固定突起部とを有し、前記弾性アームは、前記ロック固定突起部と接続され、
前記蓋体の前記軸突起部は、前記凹溝と結合されることにより、前記蓋体と前記台座体とよって挟まれた角度を生じさせ、前記角度が０度に近づくとき、前記第１係止部材と前記第２係止部材とを相互に係合させ、前記フラット導線が前記差込口を通して前記収容空間に進入した後、前記先頭端は前記ロック固定組立部材に作用することで、前記ロック固定突起部が前記切り欠きに係止されるまで前記弾性アームに変形を生じさせ、また、前記弾性アームを位置復帰させた後、前記ロック固定突起部は、前記フラット導線を前記収容空間にロックするために供され、ほかに前記蓋体と前記台座体とにより挟まれる前記角度が所定角度より大きいとき、前記第１係止部材と前記第２係止部材との係止を解除することで、前記差込口を通して前記フラット導線を退避させることを特徴とする、自動ロック構造付きコネクタ。
【請求項２】
前記第１側壁における前記凹溝の部分の厚さは、前記第１側壁における余剰部分の厚さよりも小さくないことを特徴とする、請求項１に記載の自動ロック構造付きコネクタ。
【請求項３】
前記第１側壁における前記蓋体と接触する部分に面取り角を形成し、及び前記第１係止部材と前記第２係止部材との互いに接触する部分に面取り角がそれぞれ形成されることを特徴とする、請求項１に記載の自動ロック構造付きコネクタ。
【請求項４】
前記蓋体には、前記第１側壁と前記第２側壁とに対応する位置制限構造が形成され、前記位置制限構造が前記第１側壁と前記第２側壁とにそれぞれ作用することにより、前記角度の回動範囲を決定することを特徴とする、請求項１に記載の自動ロック構造付きコネクタ。
【請求項５】
前記第１側壁における前記凹溝の幅は、前記第１係止部材の部分の幅よりも大きく、前記第２側壁における前記凹溝の幅は、前記第１係止部材の部分の幅よりも大きいことを特徴とする、請求項１に記載の自動ロック構造付きコネクタ。
【考案の詳細な説明】
【技術分野】
【０００１】
本考案は、コネクタの技術分野に関し、特に、フラット導線をラッチロックする自動ロック構造付きコネクタに関するものである。
【背景技術】
【０００２】
伝統的な電線対基板コネクタは、導線と回路板とを電気的に接続する接続エレメントとして構成され、そのメリットは、実体的な半田付け接続方式を用いて回路板上に半田付け封止する必要がなく、使用者は、簡易に抜き差しすることで、電気的な接続効果を実現することができることにある。
【０００３】
コネクタと導線とを安定に接触させるために、ここまで多種の接続方式が開発され、例えば、コネクタと導線とを簡易に接続して脱落しないようにすることができる自動ラッチロック方式が挙げられる。この方式は、前述の動作のように導線をコネクタに差し込む過程において、自動的にラッチロックすることができ、コネクタと導線との接続を保持することを可能としているが、自動ラッチロックを有する伝統的なコネクタは、自動ラッチロック構造が複雑になり、厚さがより厚くなるため、薄型化の応用分野に適合しない。
【考案の概要】
【考案が解決しようとする課題】
【０００４】
これに鑑み、本考案は、伝統的なコネクタにより生じる不具合を解決するために、自動ロック構造付きコネクタを提案する。
【０００５】
本考案の第１目的は、フラット導線のラッチロック及び解放を可能とする自動ロック構造付きコネクタを提供することにある。
【０００６】
本考案の第２目的は、前述の自動ロック構造付きコネクタにおいて、台座体と蓋体のツーピース式の組合せを提供し、フラット導線を収容する収容空間を形成するものを提供することにある。
【０００７】
本考案の第３目的は、前述の自動ロック構造付きコネクタにおいて、蓋体にロック固定組立部材を設置することにより、フラット導線を収容空間にラッチロックするものを提供することにある。
【０００８】
本考案の第４目的は、前述の自動ロック構造付きコネクタにおいて、蓋体の軸突起部が台座体の凹溝に作用することにより、フラット導線のラッチロックとロック解除を決定するための角度を挟んでもよいものを提供することにある。
【０００９】
本考案の第５目的は、前述の自動ロック構造付きコネクタにおいて、凹溝に簡易に差し込んで凹溝にて回動するための複数の斜面を含む軸突起部を提供することにある。
【００１０】
本考案の第６目的は、前述の自動ロック構造付きコネクタにおいて、蓋体を台座体に固定するための第１係止部材と第２係止部材を提供することにある。
【００１１】
本考案の第７目的は、前述の自動ロック構造付きコネクタにおいて、蓋体に嵌め込まれるロック固定組立部材を提供することで、ロック固定組立部材によってロック強度を高めることができるものを提供することにある。
【００１２】
本考案の第８目的は、前述の自動ロック構造付きコネクタにおいて、蓋体は、蓋体を台座体の接触面まで反転させる位置制限構造を提供することで、蓋体を特定角度の範囲内に反転させるように制限することができるので、蓋体の反転でフラット導線を挟み押し込まないようにすることができるものを提供することにある。
【００１３】
本考案の第９目的は、前述の自動ロック構造付きコネクタにおいて、分離部品の接触部分に面取り角を形成して係止や滑り込みなどの動作を円滑に行うことができるものを提供することにある。
【課題を解決するための手段】
【００１４】
上記の第１目的及びその他の目的を達成するために、本考案は、フラット導線と接続可能に構成される自動ロック構造付きコネクタを提供する。フラット導線は、導線を有する先頭端を提供し、かつ先頭端の両側に切り欠きがそれぞれ形成される。自動ロック構造付きコネクタは、台座体と、端子と、蓋体と、ロック固定組立部材とを備える。台座体は、第１側壁と、第２側壁とを有する。第１側壁と第２側壁との間には、フラット導線を設置可能な収容空間が形成される。その内、第１側壁と第２側壁とには、凹溝と、第１係止部材とがそれぞれ形成される。凹溝は、第１側壁の前縁と、第２側壁の前縁とに設置され、第１係止部材は、第１側壁の後縁と、第２側壁の後縁とに設置される。前縁は、台座体の差込口に位置している。端子は、収容空間に設置される。端子は、導線と電気的に接続可能とされる。蓋体は、軸突起部と、第２係止部材とを有する。軸突起部は、凹溝に対応して設置され、第２係止部材は、第１係止部材に対応して設置される。ロック固定組立部材は、蓋体と結合される。ロック固定組立部材は、弾性アームと、ロック固定突起部とを有する。弾性アームは、ロック固定突起部と接続される。その内、蓋体の軸突起部は、凹溝と結合されることにより、蓋体と台座体とによって挟まれた角度を生じさせる。角度が０度に近づくとき、第１係止部材と第２係止部材とを相互に係合させる。フラット導線が差込口を通して収容空間に進入した後、先頭端はロック固定組立部材に作用することで、ロック固定突起部が切り欠きに係止されるまで弾性アームに変形を生じさせ、また、弾性アームを位置復帰させた後、ロック固定突起部は、フラット導線を収容空間にロックすることができる。そのほか、蓋体と台座体とにより挟まれる角度が所定角度より大きいとき、第１係止部材と第２係止部材との係止を解除することで、差込口を通してフラット導線を退避させる。
【考案の効果】
【００１５】
従来の技術に比べて、本考案は、薄型化のコネクタとすることが可能な自動ロック構造付きコネクタを提供することができる。
【図面の簡単な説明】
【００１６】
【図１】本考案の第１実施形態の自動ロック構造付きコネクタの構造模式図である。
【図２】本考案の図１の台座体を説明する前面図である。
【図３】本考案の図１の台座体を説明する上面図である。
【図４（ａ）】本考案の図１の蓋体を説明する前面図である。
【図４（ｂ）】本考案の図１の蓋体を説明する背面図である。
【図５（ａ）】本考案の図１のロック固定組立部材を説明する上面図である。
【図５（ｂ）】本考案の図１のロック固定組立部材とフラット導線との結合を説明する断面模式図である。
【図６】本考案の図１の第１係止部材と第２係止部材との係合を説明する結合模式図である。
【図７】本考案の図１の蓋体の軸突起部と台座体の凹溝との結合を説明する結合模式図である。
【考案を実施するための形態】
【００１７】
本考案の目的、特徴及び効果を十分に理解してもらうため、ここで、添付の図面を参照しながら、下記の具体的な実施形態により、本考案を詳細に説明する。
【００１８】
本考案において、「１つ」または「１個」は、本文に記載されたユニット、エレメント及びコンポーネントを記述するために使用されるものである。これは単に説明の便宜上のためのものであり、なおかつ本考案の範疇に対して一般的な意義を与えるためのものである。従って、別段の意味が明記されていない限り、このような記述は、１個、少なくとも１個を含み、かつ単数形は、複数形をも含むものと理解するべきである。
【００１９】
本考案において、「備える」、「含む」、「有する」、「含有する」という用語、または他のいかなる類似の用語は、非排他的な包含関係をカバーするように意図される。例を挙げて言えば、複数の要件を含有するエレメント、構造、製品または装置は、本文に列挙されたそれらの要件だけに限定されることは必須でなく、明示的には列挙されていないまたは本来備わっているはずの他の要件が、そのようなエレメント、構造、製品または装置に含まれていてもよい。このほか、反対の明確な説明がない限り、「または」という用語は、排他的な「または」ではなく、包括的な「または」を意味することが意図されている。
【００２０】
本考案の第１実施形態の自動ロック構造付きコネクタの構造模式図である図１を参照する。図１において、自動ロック構造付きコネクタ１０は、フラット導線２と接続可能に構成されることについては、図５（ｂ）の模式図を参照することができる。フラット導線２は、導線６を有する先頭端８を提供し、かつ先頭端８の両側に切り欠き４がそれぞれ形成される。
【００２１】
図１に戻って参照すると、自動ロック構造付きコネクタ１０は、台座体１２と、端子１４と、蓋体１６と、ロック固定組立部材１８とを備える。
【００２２】
図２と図３を併せて参照する。図２は、本考案の図１の台座体を説明する前面図であり、図３は、本考案の図１の台座体を説明する上面図である。図２及び図３に示すように、台座体１２は、第１側壁１２２と、第２側壁１２４とを有する。第１側壁１２２と第２側壁１２４との間には、フラット導線２を設置可能な収容空間ＳＰが形成される。第１側壁１２２と第２側壁１２４とには、凹溝１２８と、第１係止部材１２１０とがそれぞれ形成される。凹溝１２８は、第１側壁１２２の前縁と、第２側壁１２４の前縁とに設置され、第１係止部材１２１０は、第１側壁１２２の後縁と、第２側壁１２４の後縁とに設置される。ここでは、前縁と後縁は、互いに対応関係を持つものを指し、前縁とは、フラット導線２が差し込まれる一端を指し、すなわち、前縁は、台座体１２の差込口１２６に位置している。
【００２３】
第１側壁１２２における凹溝１２８の部分の厚さは、第１側壁１２２における余剰部分の厚さよりも大きいか、あるいは、それと等しい。ここでは、第１側壁１２２における凹溝１２８の部分の厚さが第１側壁１２２における余剰部分の厚さよりも大きい場合を例として説明し、それは主に凹溝１２８の強度をより強くすることができ、後文に言及する軸突起部１６２に合わせて設置されることで、蓋体１６の回動を行うことが可能となり、しかも簡易に断裂することがない。同様に、第２側壁１２４の構造は、第１側壁１２２に対称に配設されてもよい。
【００２４】
そのほか、第１側壁１２２と第２側壁１２４は、辺縁箇所にも面取り角を形成してもよく、その他の部品と接触するとき、位置決めまたは取り付けを円滑に行うなどの目的を提供することができる。
【００２５】
端子１４は、収容空間ＳＰに設置され、端子１４は、導線６と電気的に接続可能とされている。
【００２６】
なお、ここでは、第１側壁１２２における凹溝１２８の幅を、第１係止部材１２１０の部分の幅よりも大きくすることにより、漸次縮径に形成される１つの構造に、後に言及する蓋体１６を円滑に滑り込ませることができる。同様に、第２側壁１２４におけるその凹溝１２８の幅をも、第１係止部材１２１０の部分の幅よりも大きくする。
【００２７】
図４（ａ）と図４（ｂ）を併せて参照する。図４（ａ）は、本考案の図１の蓋体を説明する前面図であり、及び図４（ｂ）は、本考案の図１の蓋体を説明する背面図である。蓋体１６は、軸突起部１６２と、第２係止部材１６４とを有する。軸突起部１６２は、凹溝１２８に対応して設置され、第２係止部材１６４は、第１係止部材１２１０に対応して設置される。
【００２８】
注意に値することは、ここで、軸突起部１６２は、凹溝１２８に差し込んで凹溝１２８にて旋回するための複数の斜面を含み、操作者は、異なる斜面によって現在の蓋体１６の回動状態または位置制限の目的を知悉することができ、例えば、異なる斜面によって旋回時の角度を区別できる点である。本考案の図１の蓋体の軸突起部と台座体の凹溝との結合を説明する結合模式図である図７を併せて参照することができる。
【００２９】
なお、第１係止部材１２１０と第２係止部材１６４との互いに接触する部分においては、第１係止部材１２１０に、第２係止部材１６４に、またはこれらの両者に面取り角を形成してもよいので、位置決めまたは取り付けを円滑に行うなどの目的を達成する。
【００３０】
さらに、蓋体１６には、後に言及するロック固定組立部材１８を収容する開口１６６がさらに形成されるので、ロック固定組立部材１８により生じる変形量を除去することができ、蓋体１６にも変形が生じる影響のおそれをなくすことができる。
【００３１】
そのほか、蓋体１６には、第１側壁１２２と第２側壁１２４とに対応する位置制限構造１６８を形成してもよく、ここでは、位置制限構造１６８について、１個のＬ字状の凹陥構造を例として説明する。位置制限構造１６８が第１側壁１２２と第２側壁１２４とにそれぞれ作用することにより、角度θの回動範囲を決定し、つまり、位置制限構造１６８の内壁面が第１側壁１２２と第２側壁１２４とに接触するとき、内壁面の抵抗を受けて反転が止められる。
【００３２】
図５（ａ）と図５（ｂ）を併せて参照する。図５（ａ）は、本考案の図１のロック固定組立部材を説明する上面図であり、及び図５（ｂ）は、本考案の図１のロック固定組立部材とフラット導線との結合を説明する断面模式図である。ロック固定組立部材１８は、蓋体１６と結合される。図５（ａ）と図５（ｂ）において、ロック固定組立部材１８は、弾性アーム１８２と、ロック固定突起部１８４とを有する。弾性アーム１８２は、ロック固定突起部１８４と接続される。その内、蓋体１６の軸突起部１６２は、凹溝１２８と結合されることにより、蓋体１６と台座体１２とによって角度θを挟むようにさせる。角度θが０度に近づくとき、第１係止部材１２１０と第２係止部材１６４とを相互に係合させ、これは本考案の図１の第１係止部材と第２係止部材との係合を説明する結合模式図である図６に示すとおりである。図６において、第１係止部材１２１０と第２係止部材１６４とを係合させた後、蓋体１６は、台座体１２にて安定的に制限される。
【００３３】
ここでは、弾性アーム１８２の末端が蓋体１６に嵌め込まれることで、弾性アーム１８２の強度を強化することができる。一実施形態において、まず、弾性アーム１８２の末端は、コロイド（すなわち、本考案では、蓋体１６と称する）に合わせる注型成形により、弾性アーム１８２が蓋体１６に包囲される。
【００３４】
なお、ロック固定突起部１８４の辺縁の形状は、弧状曲線であってもよいので、フラット導線２の先頭端８が、ロック固定突起部１８４によって簡易に押し開かれて収容空間ＳＰに進入し、かつ切り欠き４も、弧状曲線を持つロック固定突起部１８４による規制を受けて収容空間ＳＰにて位置制限される。
【００３５】
このため、フラット導線２が差込口１２６を通して収容空間ＳＰに進入した後、先頭端８はロック固定組立部材１８に作用することで、ロック固定突起部１８４が切り欠き４に係止されるまで弾性アーム１８２に変形を生じさせ、また、弾性アーム１８２を位置復帰させた後、ロック固定突起部１８４は、フラット導線２を収容空間ＳＰにロックすることができる。反対に、蓋体１６と台座体１２とにより挟まれる角度θが所定角度より大きいとき、第１係止部材１２１０と第２係止部材１６４との係止を解除することで、差込口１２６を通してフラット導線２を退避させることができる。
【００３６】
注意に値することは、前述の角度θの範囲は、例えば、０度〜９０度の間にあってもよく、及び前述の所定角度の範囲は、例えば、３度〜９０度の間にあってもよい点である。
【符号の説明】
【００３７】
２…フラット導線
４…切り欠き
６…導線
８…先頭端
１０…自動ロック構造付きコネクタ
１２…台座体
１２２…第１側壁
１２４…第２側壁
１２６…差込口
１２８…凹溝
１２１０…第１係止部材
１４…端子
１６…蓋体
１６２…軸突起部
１６４…第２係止部材
１６６…開口
１６８…位置制限構造
１８…ロック固定組立部材
１８２…弾性アーム
１８４…ロック固定突起部
ＳＰ…収容空間
θ…角度
【図１】
0003230227.tif 000003
【図２】
0003230227.tif 000004
【図３】
0003230227.tif 000005
【図４（ａ）】
0003230227.tif 000006
【図４（ｂ）】
0003230227.tif 000007
【図５（ａ）】
0003230227.tif 000008
【図５（ｂ）】
0003230227.tif 000009
【図６】
0003230227.tif 000010
【図７】
0003230227.tif 000011